(57)【要約】【課題】  ごみ袋の開口部を開閉自在に保持することができるごみ袋保持スタンドを提供する。【解決手段】  固定フレーム６は、上下に延びるとともに相互に対向して配設される一対の固定支持部１８と、一対の固定支持部１８を相互に接続する固定接続部２０と、を有する。可動フレーム８は、相互に対向して配設されるとともに、一対の固定支持部１８の各上端部に傾動自在に支持された一対の可動支持部４０と、一対の可動支持部４０を相互に接続する可動接続部４２と、を有する。固定接続部２０及び可動接続部４２には、ごみ袋の開口部を保持するための保持手段３４，５０が設けられている。可動フレーム８は、その可動接続部４２が固定フレーム６の固定接続部２０に近接する第１の位置と、その可動接続部４２が固定フレーム６の固定接続部２０より離隔する第２の位置との間を自在に傾動される。【選択図】  図１
2010241516.tif 000002
【特許請求の範囲】
【請求項１】
固定フレームと、前記固定フレームに傾動自在に支持された可動フレームと、を備え、前記固定フレームは、上下に延びるとともに相互に対向して配設される一対の固定支持部と、前記一対の固定支持部を相互に接続する固定接続部と、を有し、前記可動フレームは、相互に対向して配設されるとともに、前記一対の固定支持部の各上端部に傾動自在に支持された一対の可動支持部と、前記一対の可動支持部を相互に接続する可動接続部と、を有し、前記固定接続部及び前記可動接続部には、ごみ袋の開口部を保持するための保持手段が設けられており、
前記可動フレームは、その前記可動接続部が前記固定フレームの前記固定接続部に近接する第１の位置と、その前記可動接続部が前記固定フレームの前記固定接続部より離隔する第２の位置との間を傾動自在に構成されていることを特徴とするごみ袋保持スタンド。
【請求項２】
前記一対の固定支持部の下端部を支持するためのベースと、前記ベースに傾動自在に設けられた足踏レバーと、前記足踏レバーと前記可動フレームとを相互に駆動連結するための駆動連結手段と、を更に備え、
前記足踏レバーを傾動させると、その傾動が前記駆動連結手段を介して前記可動フレームに伝達され、これにより前記可動フレームが前記第１の位置と前記第２の位置との間を傾動されることを特徴とする請求項１に記載のごみ袋保持スタンド。
【請求項３】
前記可動フレームを前記第１の位置に向けて弾性的に偏倚するための弾性偏倚手段が設けられていることを特徴とする請求項２に記載のごみ袋保持スタンド。
【発明の詳細な説明】
【技術分野】
【０００１】
本発明は、ごみ袋を保持するためのごみ袋保持スタンドに関する。
【背景技術】
【０００２】
従来より、ごみ袋を保持するためのごみ袋保持スタンドが用いられている（例えば、特許文献１参照）。従来のごみ袋保持スタンドは、相互に回動自在に組み付けられた一対のフレームを備えており、各フレームは矩形状の枠体から構成されている。これら一対のフレームをＸ字状に開脚させて、ごみ袋の開口部を一対のフレームの各上端部に取り付けることにより、ごみ袋の開口部が開放された状態で保持される。
【先行技術文献】
【特許文献】
【０００３】
【特許文献１】実用新案登録第３０３８２４０号公報
【発明の概要】
【発明が解決しようとする課題】
【０００４】
しかしながら、上述のような従来のごみ袋保持スタンドでは、ごみ袋の開口部は常時開放されているので、例えばごみ袋内に生ごみなどを投入した場合には、生ごみなどから発生した臭気が周囲に拡散してしまうという問題がある。また、ごみ袋内のごみが外部から丸見えになり、見栄えが良くないという問題がある。
【０００５】
本発明の目的は、ごみ袋の開口部を開閉自在に保持することができるごみ袋保持スタンドを提供することである。
【課題を解決するための手段】
【０００６】
本発明の請求項１に記載のごみ袋保持スタンドでは、固定フレームと、前記固定フレームに傾動自在に支持された可動フレームと、を備え、前記固定フレームは、上下に延びるとともに相互に対向して配設される一対の固定支持部と、前記一対の固定支持部を相互に接続する固定接続部と、を有し、前記可動フレームは、相互に対向して配設されるとともに、前記一対の固定支持部の各上端部に傾動自在に支持された一対の可動支持部と、前記一対の可動支持部を相互に接続する可動接続部と、を有し、前記固定接続部及び前記可動接続部には、ごみ袋の開口部を保持するための保持手段が設けられており、
前記可動フレームは、その前記可動接続部が前記固定フレームの前記固定接続部に近接する第１の位置と、その前記可動接続部が前記固定フレームの前記固定接続部より離隔する第２の位置との間を傾動自在に構成されていることを特徴とする。
【０００７】
また、本発明の請求項２に記載のごみ袋保持スタンドでは、前記一対の固定支持部の下端部を支持するためのベースと、前記ベースに傾動自在に設けられた足踏レバーと、前記足踏レバーと前記可動フレームとを相互に駆動連結するための駆動連結手段と、を更に備え、
前記足踏レバーを傾動させると、その傾動が前記駆動連結手段を介して前記可動フレームに伝達され、これにより前記可動フレームが前記第１の位置と前記第２の位置との間を傾動されることを特徴とする。
【０００８】
また、本発明の請求項３に記載のごみ袋保持スタンドでは、前記可動フレームを前記第１の位置に向けて弾性的に偏倚するための弾性偏倚手段が設けられていることを特徴とする。
【発明の効果】
【０００９】
本発明の請求項１に記載のごみ袋保持スタンドによれば、可動フレームが第１の位置に位置付けられると、可動接続部と固定接続部とが近接されてごみ袋の開口部が閉塞され、また可動フレームが第２の位置に位置付けられると、可動接続部が固定接続部より離隔されてごみ袋の開口部が開放される。従って、常時は可動フレームを第１の位置に位置付けておき、ごみの投入時にのみ可動フレームを第２の位置に位置付けることによって、常時はごみ袋の開口部を閉塞し、ごみの投入時にのみごみ袋の開口部を開放することができ、ごみ袋内のごみの臭気が周囲に拡散するのを抑えることができる。また、ごみ袋内のごみが外部から常時丸見えになることがなく、見栄えを良くすることができる。
【００１０】
また、本発明の請求項２に記載のごみ袋保持スタンドによれば、可動フレームを傾動操作するための足踏レバーが設けられているので、例えば足踏レバーを足で踏み込むことにより、可動フレームを第１の位置と第２の位置との間で容易に傾動させることができる。
【００１１】
また、本発明の請求項３に記載のごみ袋保持スタンドによれば、弾性偏倚手段によって可動フレームが第１の位置に向けて弾性的に偏倚されるので、例えば足踏レバーから足を離すことにより、可動フレームが第２の位置から第１の位置に向けて傾動され、ごみの投入後にごみ袋の開口部を確実に閉塞することができる。
【図面の簡単な説明】
【００１２】
【図１】本発明の一実施形態によるごみ袋保持スタンドを示す斜視図である。
【図２】図１のごみ袋保持スタンドにごみ袋を保持させた状態を示す斜視図である。
【図３】可動フレームが第１の位置に位置付けられた状態でのごみ袋保持スタンドを示す側面図である。
【図４】可動フレームが第２の位置に位置付けられた状態でのごみ袋保持スタンドを示す側面図である。
【図５】図４の状態でのごみ袋保持スタンドを示す斜視図である。
【発明を実施するための形態】
【００１３】
以下、添付図面を参照して、本発明に従うごみ袋保持スタンドの一実施形態について説明する。図１は、本発明の一実施形態によるごみ袋保持スタンドを示す斜視図であり、図２は、図１のごみ袋保持スタンドにごみ袋を保持させた状態を示す斜視図であり、図３は、可動フレームが第１の位置に位置付けられた状態でのごみ袋保持スタンドを示す側面図であり、図４は、可動フレームが第２の位置に位置付けられた状態でのごみ袋保持スタンドを示す側面図であり、図５は、図４の状態でのごみ袋保持スタンドを示す斜視図である。
【００１４】
図１〜図５を参照して、本実施形態のごみ袋保持スタンド２は、ベース４と、ベース４に固定的に支持された固定フレーム６と、固定フレーム６に傾動自在に支持された可動フレーム８と、を備えている。以下、ごみ袋保持スタンド２の構成について詳細に説明する。
【００１５】
ベース４は、矩形状の平板から構成されている。ベース４の一側部にはブラケット１０が設けられ、このブラケット１０には、可動フレーム８を傾動操作するための足踏レバー１２が傾動自在に支持されている。足踏レバー１２の先端部にはフック１４が設けられており、このフック１４には連結用紐１６（駆動連結手段を構成する）の一端部が結び付けられている。
【００１６】
固定フレーム６は、長板状の一対の固定支持部１８と、一対の固定支持部１８の上下方向中央部よりやや上側を相互に接続する固定接続部２０と、を備えている。一対の固定支持部１８は、ベース４の左右両側部から上方に向かって延び、相互に対向して配設されている。一方の固定支持部１８の後側面には、複数のガイドリング２２が間隔を置いて設けられており、これらガイドリング２２には連結用紐１６が移動自在に挿通されている。また、各固定支持部１８の外側面における上下方向中央部よりやや上側にはフック２４が設けられ、このフック２４にはコイルバネ２６（弾性偏倚手段を構成する）の一端部が取り付けられている。更に、各固定支持部１８の上端部にはブラケット２８が固定的に支持されており、このブラケット２８の一端部は固定支持部１８より前方に延びている。
【００１７】
固定接続部１８の上側面における両端部には、ごみ袋３０の開口部３２を保持するための一対のクリップ３４（保持手段を構成する）が設けられている。このクリップ３４は、固定接続部１８の上側面に固定的に支持された固定クリップ部３６と、固定クリップ部３６の一端部に回動自在に支持された可動クリップ部３８と、を有している（図１参照）。可動クリップ部３８は、固定クリップ部３６と協働してごみ袋３０の開口部３２を挟持するロック位置と、固定クリップ部３６から離隔してごみ袋３０の開口部３２の挟持を解除するロック解除位置との間を自在に回動される。
【００１８】
可動フレーム８は、細長い棒状の一対の可動支持部４０と、一対の可動支持部４０の各下端部を相互に接続する可動接続部４２と、を備えている。可動支持部４０の上下方向中央部は、ブラケット２８の一端部に設けられた支持軸４４に傾動自在に支持されている。これにより、一対の可動支持部４０は、相互に対向して配設されるとともに、一対の固定支持部１８の各上端部に傾動自在に支持される。また、各可動支持部４０の外側面における下端部にはフック４６が設けられ、このフック４６にはコイルバネ２６の他端部が取り付けられている。一方の可動支持部４０の後側面における上端部にはフック４８が設けられ、このフック４８には連結用紐１６の他端部が結び付けられている。可動接続部４２の上側面における両端部には、一対のクリップ５０（保持手段を構成する）が設けられており、このクリップ５０は上述したクリップ３４と同様に構成されている。
【００１９】
本実施形態のごみ袋保持スタンド２では、次のようにして可動フレーム８を傾動操作することができる。連結用紐１６は、一方の可動支持部４０の上端部から斜め後方下方に延びた後に、一方の固定支持部１８の後側面に沿って足踏レバー１２の先端部まで下方に延びている。連結用紐１６は弛みなく張られており、これにより可動フレーム８と足踏レバー１２とが連結用紐１６を介して駆動連結されている。
【００２０】
足踏レバー１２を操作しない状態では、可動フレーム８は、コイルバネ２６の弾性偏倚力によって、その可動接続部４２が固定フレーム６の固定接続部２０に近接する第１の位置に位置付けられる（図１〜図３参照）。足踏レバー１２の先端部を図３中の矢印Ｐで示す方向に足で踏み込むと、一方の可動支持部４０の上端部が連結用紐１６によって斜め後方下方に引っ張られる。これにより、可動フレーム８は、図３中の矢印Ｑで示す方向に傾動され、その可動接続部４２が固定フレーム６の固定接続部２０より離隔する第２の位置に位置付けられる（図４及び図５参照）。足踏レバー１２から足を離すと、コイルバネ２６の弾性偏倚力によって、可動フレーム８は、図４中の矢印Ｒで示す方向に傾動されて第１の位置に位置付けられる。
【００２１】
次に、上述したごみ袋保持スタンド２の使用方法について説明する。ごみ袋３０の開口部３２を各クリップ３４，５０に挟持させてごみ袋３０を保持させる（図２及び図３参照）。ごみ袋３０としては、例えば市販のごみ袋やスーパーマーケットなどのレジ袋などを用いることができる。この状態では、可動フレーム８は第１の位置に位置付けられるので、ごみ袋３０の開口部３２は閉塞された状態に保持される。ごみ（図示せず）をごみ袋３０内に投入するときには、足踏レバー１２の先端部を足で踏み込むことにより、可動フレーム８が傾動されて第２の位置に位置付けられ、これによりごみ袋３０の開口部３２が開放される（図４及び図５参照）。
【００２２】
ごみの投入後、足踏レバー１２から足を離すことにより、コイルバネ２６の弾性偏倚力によって可動フレーム８が傾動されて第１の位置に位置付けられ、ごみ袋３０の開口部３２が閉塞される。
【００２３】
従って、本実施形態のごみ袋保持スタンド２では、ごみ袋３０の開口部３２は常時閉塞されており、ごみの投入時にのみごみ袋３０の開口部３２を開放することができるので、ごみ袋３０内のごみの臭気が周囲に拡散するのを抑えることができる。また、ごみ袋３０内のごみが外部から常時丸見えになることがなく、見栄えを良くすることができる。
【００２４】
なお、本実施形態では、ごみ袋３０の開口部３２を開放させる際には、足踏レバー１２の先端部を足で踏み込むようにしたが、例えば次のように構成してもよい。可動接続部４２の前側面に操作用つまみ（図示せず）を設け、この操作用つまみを手で摘んで可動フレーム８を手前に引っ張ることにより、可動フレーム８を図３中の矢印Ｑで示す方向に傾動させるようにしてもよい。
【００２５】
以上、本発明に従うごみ袋保持スタンドの一実施形態について説明したが、本発明はかかる実施形態に限定されるものではなく、本発明の範囲を逸脱することなく種々の変形乃至修正が可能である。
【００２６】
例えば、上記実施形態では、弾性偏倚手段をコイルバネ２６から構成したが、コイルバネ２６に代えて、弾性偏倚力を有するゴム部材から構成してもよい。
【００２７】
また例えば、上記実施形態では、保持手段をクリップ３４，５０から構成したが、クリップ３４，５０に代えて、フック部材などから構成してもよい。ごみ袋３０がスーパーマーケットなどのレジ袋である場合には、レジ袋の手提げ部をこのフック部材に引っ掛けることにより、ごみ袋３０の開口部３２を保持することができる。
【符号の説明】
【００２８】
２  ごみ袋保持スタンド
４  ベース
６  固定フレーム
８  可動フレーム
１２  足踏レバー
１６  連結用紐（駆動伝達手段）
１８  固定支持部
２０  固定接続部
２６  コイルバネ（弾性偏倚手段）
３０  ごみ袋
３２  開口部
３４  クリップ（保持手段）
４０  可動支持部
４２  可動接続部
５０  クリップ（保持手段）
【図１】
2010241516.tif 000003
【図２】
2010241516.tif 000004
【図３】
2010241516.tif 000005
【図４】
2010241516.tif 000006
【図５】
2010241516.tif 000007